(57)【要約】【課題】複雑性、安全性の低下。【解決手段】薄型錠は、ハウジングと、ハウジングに搭載されるコア組立体と、コア組立体において長手方向に配置される多数のピン組立体と、ハウジングを通過して搭載されコア組立体とピン組立体とを選択的に作動させるラッチ組立体とを有する。  この薄型錠をドアパネルに搭載する場合、ピン組立体の数はドアパネルの厚さには関係しない。したがって、ユーザの必要に応じて、薄型錠の複雑性を増し安全性を向上するためにピン組立体の数を追加することができる。【選択図】図２
2012047017.tif 000002
【特許請求の範囲】
【請求項１】
ハウジングと、ラッチ組立体と、コア組立体と、多数の第１のピン組立体とを具える薄型錠において、
前記ハウジングは、ハウジング前半部とハウジング後半部とを有し、
前記ハウジング前半部は、
前記ハウジング前半部の後面に形成されるコア窪み部と、
前記ハウジング前半部を通過して形成されるラッチ孔と、
前記コア窪み部と前記ラッチ孔との間に画成される内壁と、
前記ハウジング前半部の前記内壁を通過して形成される貫通孔と、
前記ハウジング前半部の前面を通過して形成され、前記コア窪み部と対応し前記コア窪み部と連通する鍵孔とを有し、
前記ハウジング後半部は前記ハウジング前半部の前記後面に取付けられ、前記コア窪み部に対応し、
前記ハウジング後半部は、
前記ハウジング前半部の前記コア窪み部に対応する内面と、
前記ハウジング後半部の前記内面に長手方向に形成され摺動窪み部の傍らに配設される少なくとも１個の第１のピン搭載具とを有し、
前記少なくとも１個の第１のピン搭載具の各々は、前記少なくとも１個の第１のピン搭載具に各別に形成され前記少なくとも１個の第１のピン搭載具に沿って長手方向に配設される多数の第１のピン窪み部を有するものであり、
前記ラッチ組立体は、
前記ハウジング前半部の前記ラッチ孔を通過して搭載され前記ハウジング前半部の前記ラッチ孔を通過して回転可能に搭載される駆動軸を有し、
前記駆動軸は前記駆動軸に周面に形成され前記ハウジング前半部の前記貫通孔に対応する少なくとも１個の係止窪み部を有するものであり、
前記コア組立体は、前記ハウジング前半部の前記コア窪み部に摺動可能に搭載され、
前記コア組立体は、
前記ハウジング後半部の前記少なくとも１個の第１のピン搭載具に対応する中央ピン搭載具と、
前記コア組立体の下方縁部から下方に突出し前記ハウジング前半部の前記貫通孔を通過して搭載され、前記ラッチ組立体の前記駆動軸に当接し、前記駆動軸の少なくとも１個の係止窪み部に選択的に係合する係止突出部とを有し、
前記中央ピン搭載具は、前記中央ピン搭載具の前面に長手方向に形成される鍵窪み部と、前記中央ピン搭載具を通過して形成され、それぞれ少なくとも一個の第１のピン搭載具の第１のピン窪み部と整列する多数の第１のピン孔を有するものであり、
前記多数の第１のピン組立体は、それぞれ前記ハウジング後半部の前記第１のピン窪み部と前記コア組立体のの前記第１のピン孔とに搭載され、
前記第１のピン組立体の各々は、
前記コア組立体の前記第１のピン孔に搭載される第１の外側ピンと、
前記ハウジング後半部の前記第１のピン窪み部に搭載される第１の内側ピンと、
前記ハウジング後半部の前記第１のピン窪み部に搭載され、それぞれ前記少なくとも１個の第１のピン搭載具と前記第１の内側ピンとに当接する２個の端部を有する第１の弾性要素とを有することを特徴とする薄型錠。
【請求項２】
前記コア組立体は、前記ハウジング後半部に近接して摺動可能に搭載される第１のコアと、前記ハウジング前半部に近接して摺動可能に搭載され、前記第１のコアの前記少なくとも１個の第２のピン搭載具に対応する第２のコアとを有し、
前記第１のコアは、
前記中央ピン搭載具と、
前記中央ピン搭載具の前面に長手方向に形成され、前記鍵窪み部の傍らに配設される少なくとも１個の第２のピン搭載具とを有し、
前記少なくとも１個の第２のピン搭載具の各々は、前記少なくとも１個の第２のピン搭載具に各別に形成され前記少なくとも１個の第２のピン搭載具に沿って長手方向に配置される多数の第２のピン窪み部を有するものであり、
前記第２のコアは、
前記第２のコアを通過して長手方向に形成され、前記第１のコアの前記中央ピン搭載具の前記鍵窪み部と前記ハウジング前半部の前記鍵孔とに整列する鍵孔と、
前記第２のコアの前記鍵孔を囲んで画成される内面と、
前記第２のコアの前記内面を通過して形成され、前記少なくとも１個の第２のピン搭載具の前記第２のピン窪み部にそれぞれ整列する多数の第２のピン孔とを有するものであり、
前記コア組立体の前記係止突出部は、前記コア組立体の前記第２のコアの下方縁部から下方に突出し、
前記薄型錠はさらに、それぞれ前記第１のコアの前記第２のピン窪み部と前記第２のコアの前記第２のピン孔とに搭載される多数の第２のピン組立体を具え、
前記第２のピン組立体の各々は、
前記第２のコアの前記第２のピン孔に搭載される第２の外側ピンと、
前記第１のコアの前記第２のピン窪み部に搭載される第２の内側ピンと、
前記第１のコアの前記第２のピン窪み部に搭載され、それぞれ前記少なくとも１個の第２のピン搭載具と前記第２の内側ピンに当接する２個の端部を有する第２の弾性要素とを有することを特徴とする請求項１記載の薄型錠。
【請求項３】
前記ハウジング後半部は２個の第１のピン搭載具を有し、前記第１のピン搭載具の各々は、他方の第１のピン搭載具の側面に対応する側面を有するものであり、
前記第１のピン搭載具の各々の前記第１のピン窪み部は、前記第１のピン搭載具の側面に形成され、
前記第１のコアの前記中央ピン搭載具は、前記第１のピン搭載具の間に搭載され、
前記第１のコアは、それぞれ前記第１のコアの前記鍵窪み部の２個の相対する側面の傍らに形成される２個の第２のピン搭載具を有し、
前記第２のピン搭載具の各々は、他方の第２のピン搭載具の側面に対応する側面を有し、
前記第２のピン搭載具の各々の前記第２のピン窪み部は、前記第２のピン搭載具の側面に形成され、
前記第２のコアは、第２のピン搭載具の間に搭載されることを特徴とする請求項２記載の薄型錠。
【請求項４】
前記第２のコアの上方縁部と前記ハウジング前半部との間に搭載されそれぞれ前記第２のコアと前記ハウジング前半部に当接する２個の端部を有する主弾性素子をさらに具えることを特徴とする請求項２または３記載の薄型錠。
【請求項５】
ハウジングと、ラッチ組立体と、コア組立体と、多数の第２のピン組立体とを具える薄型錠において、
前記ハウジングは、
前記ハウジングに形成されるコア窪み部と、
前記ハウジングを通過して形成されるラッチ孔と、
前記コア窪み部と前記ラッチ孔との間に画成される内壁と、
前記ハウジングの前記内壁を通過して形成される貫通孔と、
前記ハウジングの前面を通過して形成され前記コア窪み部と対応し前記コア窪み部と連通する鍵孔とを有し、
前記ラッチ組立体は、前記ハウジングの前記ラッチ孔を通過して搭載され前記ハウジングの前記ラッチ孔を通過して回転可能に搭載される駆動軸を有し、
前記駆動軸は前記駆動軸に周面に形成され前記ハウジングの前記貫通孔に対応する少なくとも１個の係止窪み部を有するものであり、
前記コア組立体は前記ハウジングの前記コア窪み部に摺動可能に搭載され、
前記コア組立体は、
第１のコアと、第２のコアと、係止突出部とを有し、
前記第１のコアは、少なくとも１個の第２のピン搭載具を有し、
前記少なくとも１個の第２のピン搭載具の各々は、前記少なくとも１個の第２のピン搭載具に各別に形成され前記少なくとも１個の第２のピン搭載具に沿って長手方向に配置される多数の第２のピン窪み部を有するものであり、
前記第２のコアは、前記第１のコアの前記少なくとも１個の第２のピン搭載具に対応し前記ハウジングに確実に取り付けられ、
前記第２のコアは、
前記第２のコアを通過して長手方向に形成され前記ハウジングの前記鍵孔に整列する鍵孔と、
前記第２のコアの前記鍵孔を囲んで画成される内面と、
前記第２のコアの前記内面を通過して形成され、前記少なくとも１個の第２のピン搭載具の前記第２のピン窪み部にそれぞれ整列する多数の第２のピン孔とを有し、
前記係止突出部は、前記コア組立体の前記第２のコアの下方縁部から下方に突出し前記ハウジングの前記貫通孔を通過して搭載され、前記ラッチ組立体の前記駆動軸に当接し、前記駆動軸の少なくとも１個の係止窪み部に選択的に係合するものであり、
前記多数の第２のピン組立体は、それぞれ前記第１のコアの前記第２のピン窪み部と前記第２のコアの前記第２のピン孔とに搭載され、
前記第２のピン組立体は各々、
前記第２のコアの前記第２のピン孔に搭載される第２の外側ピンと、
前記第１のコアの前記第２のピン窪み部に搭載される第２の内側ピンと、
前記第１のコアの前記第２のピン窪み部に搭載され、それぞれ前記少なくとも１個の第２のピン搭載具と前記第２の内側ピンに当接する２個の端部を有する第２の弾性要素とを有することを特徴とする薄型錠。
【請求項６】
前記第１のコアは、２個の第２のピン搭載具を有し、前記第２のピン搭載具の各々は、他方の第２のピン搭載具の側面に対応する側面を有するものであり、
前記第２のピン搭載具の各々の前記第２のピン窪み部は、前記第２のピン搭載具の側面に形成され、
前記第２のコアは、前記第２のピン搭載具の間に搭載されることを特徴とする請求項５記載の薄型錠。
【請求項７】
前記第１のコアの上方縁部と前記ハウジングとの間に搭載されそれぞれ前記第１のコアと前記ハウジングに当接する２個の端部を有する主弾性素子をさらに具えることを特徴とする請求項５または６記載の薄型錠。
【請求項８】
ハウジングと、ラッチ組立体と、コア組立体と、多数の第２のピン組立体とを具える薄型錠において、
前記ハウジングは、
前記ハウジングに形成されるコア窪み部と、
前記ハウジングを通過して形成されるラッチ孔と、
前記コア窪み部と前記ラッチ孔との間に画成される内壁と、
前記ハウジングの前記内壁を通過して形成される貫通孔と、
前記ハウジングの前面を通過して形成され前記コア窪み部と対応し前記コア窪み部と連通する鍵孔とを有し、
前記ラッチ組立体は、前記ハウジングの前記ラッチ孔を通過して搭載され前記ハウジングの前記ラッチ孔を通過して回転可能に搭載される駆動軸を有し、
前記駆動軸は、前記駆動軸に周面に形成され前記ハウジングの前記貫通孔に対応する少なくとも１個の係止窪み部を有するものであり、
前記コア組立体は、前記ハウジングの前記コア窪み部に摺動可能に搭載され、
前記コア組立体は、
第１のコアと、第２のコアと、係止突出部とを有し、
前記第１のコアは、少なくとも１個の第２のピン搭載具を有し、
前記少なくとも１個の第２のピン搭載具の各々は、前記少なくとも１個の第２のピン搭載具に各別に形成され前記少なくとも１個の第２のピン搭載具に沿って長手方向に配置される多数の第２のピン窪み部を有するものであり、
前記第２のコアは前記第１のコアの前記少なくとも１個の第２のピン搭載具に対応し、前記ハウジングに確実に取り付けられ、
前記第２のコアは、
前記第２のコアを通過して長手方向に形成され前記ハウジングの前記鍵孔に整列する鍵孔と、
前記第２のコアの前記鍵孔を囲んで画成される内面と、
前記第２のコアの前記内面を通過して形成され、前記少なくとも１個の第２のピン搭載具の前記第２のピン窪み部にそれぞれ整列する多数の第２のピン孔とを有し、
前記係止突出部は、前記コア組立体の前記第１のコアの下方縁部から下方に突出し前記ハウジングの前記貫通孔を通過して搭載され、前記ラッチ組立体の前記駆動軸に当接し、前記駆動軸の少なくとも１個の係止窪み部に選択的に係合するものであり、
前記多数の第２のピン組立体は、それぞれ前記第１のコアの前記第２のピン窪み部と前記第２のコアの前記第２のピン孔とに搭載され、
前記第２のピン組立体は各々、
前記第２のコアの前記第２のピン孔に搭載される第２の外側ピンと、
前記第１のコアの前記第２のピン窪み部に搭載される第２の内側ピンと、
前記第１のコアの前記第２のピン窪み部に搭載されそれぞれ前記少なくとも１個の第２のピン搭載具と前記第２の内側ピンに当接する２個の端部を有する第２の弾性要素とを有することを特徴とする薄型錠。
【請求項９】
前記第１のコアは２個の第２のピン搭載具を有し、前記第２のピン搭載具の各々は他方の第２のピン搭載具の側面に対応する側面を有するものであり、
前記第２のピン搭載具の各々の前記第２のピン窪み部は前記第２のピン搭載具の側面に形成され、
前記第２のコアは前記第２のピン搭載具の間に搭載されることを特徴とする請求項８記載の薄型錠。
【請求項１０】
前記第１のコアの上方縁部と前記ハウジングとの間に搭載され、それぞれ前記第１のコアと前記ハウジングに当接する２個の端部を有する主弾性素子をさらに具えることを特徴とする請求項８または９記載の薄型錠。
【発明の詳細な説明】
【技術分野】
【０００１】
本発明は薄型錠に関し、特に薄い扉に適した薄型錠に関する。
【背景技術】
【０００２】
従来のピンタンブラー錠は外錠コアと内錠コアと複合ピン組立体とを有する。外錠コアは管状であり、外錠コアの内面に半径方向に形成され外錠コアに沿って軸方向に配置される多数のピン窪み部を有する。内錠コアは外錠コア内に配設され、内錠コアの一端部に軸方向に形成される鍵孔と、内錠コアに亘って半径方向に形成され内錠コアに沿って軸方向に配置されそれぞれ外錠コアのピン窪み部に整列する多数のピン孔とを有する。ピン組立体はそれぞれ対応する外錠コアのピン窪み部と内錠コアのピン孔に配設される。各ピン組立体は長さの異なる２個のピンを有する。鍵を内錠コアの鍵孔に挿入しピンを押すことにより対応するピンの接触面と外錠コアと内錠コアとの接触面とを同一平面上にすると、鍵は回転可能となり従来のピンタンブラー錠が開錠する。従来のピンタンブラー錠では、ピン組立体の個数が多ければ多いほど複雑性が増し安全性が向上し不正の開錠が防げられるようになる。
【発明の概要】
【発明が解決しようとする課題】
【０００３】
従来のピンタンブラー錠は、ドアパネルに搭載されるとドアパネルの内面と外面間を横断して配置される。ドアパネルが薄いと、外錠コアおよび内錠コアの長さが短くなりそれに応じてピン組立体の数も減少し、したがって、従来のピンタンブラー錠では複雑性、安全性が低下する。
【課題を解決するための手段】
【０００４】
本発明の主たる目的は薄型錠を提供することである。この薄型錠は、ハウジングと、ハウジングに搭載されるコア組立体と、コア組立体において長手方向に配置される多数のピン組立体と、ハウジングを通過して搭載されコア組立体とピン組立体とを選択的に作動させるラッチ組立体とを具える。
【０００５】
この薄型錠をドアパネルに搭載する場合、ピン組立体の数はドアパネルの厚さには関係しない。このため、ユーザの必要に応じて、薄型錠の複雑性を増し安全性を向上するためにピン組立体の数を追加することができる。  
【図面の簡単な説明】
【０００６】
【図１】図１は、本発明の第１の実施例に係る薄型錠の斜視図である。
【図２】図２は、図１に示す薄型錠の分解組立斜視図である。
【図３】図３は、図１に示す薄型錠の他の分解組立斜視図である。
【図４】図４は、図１に示す薄型錠の部分断面正面図である。
【図５】図５は、図１に示す薄型錠の動作を示す部分断面正面図である。
【図６】図６は、図１に示す薄型錠の他の部分断面正面図である。
【図７】図７は、図１に示す薄型錠の開錠を示す他の動作を示す部分断面正面図である。
【図８】図８は、本発明に係る薄型錠に対する鍵の斜視図である。
【図９】図９は、本発明に係る薄型錠に対する他の鍵の斜視図である。
【図１０】図１０は、本発明の第２の実施例に係る薄型錠の分解組立斜視図である。
【図１１】図１１は、図１０に示す薄型錠の開錠を示す部分断面正面図である。
【図１２】図１２は、図１０に示す薄型錠の開錠を示す動作部分断面正面図である。
【図１３】図１３は、本発明の第３の実施例に係る薄型錠とこの薄型錠に対する鍵の斜視図である。
【図１４】図１４は、図１３の薄型錠の分解組立斜視図である。
【発明を実施するための形態】
【０００７】
図１および図２を参照して、第１の実施例における本発明の薄型錠は、ハウジング１０と、ラッチ組立体２０と、コア組立体３０と、主弾性素子３３と、多数の第１のピン組立体４０と、多数の第２のピン組立体５０とを具える。
【０００８】
ハウジング１０は、ハウジング前半部１１と、ハウジング後半部１２とを有する。
【０００９】
さらに図３を参照して、ハウジング前半部１１は、コア窪み部１１１と、ラッチ孔１１２と、内周面と、内壁と、貫通孔１１３と、鍵孔１１４とを有する。コア窪み部１１１はハウジング１０に形成され、ハウジング前半部１１の後面に形成される。ラッチ孔１１２はハウジング１０を通過して形成され、ハウジング前半部１１を通過して形成される。ハウジング前半部１１の内周面はラッチ孔１１２を囲んで画成される。ハウジング前半部１１の内壁はコア窪み部１１１とラッチ孔１１２との間に画成される。ハウジング前半部１１の貫通孔１１３はハウジング前半部１１の内壁を通過して形成される。ハウジング前半部１１の鍵孔１１４はハウジング１０の前面を通過して形成され、ハウジング前半部１１の前面を通過して形成され、コア窪み部１１１に対応しまたコア窪み部１１１に連通する。
【００１０】
ハウジング後半部１２はハウジング前半部１１の後面に搭載され、コア窪み部１１１に対応し、内面と位置決め突起部１２１と、摺動窪み部１２２と、少なくとも１個の第１のピン搭載具１２３とを有する。ハウジング後半部１２の内面はハウジング前半部１１のコア窪み部１１１に対応する。位置決め突起部１２１はハウジング後半部１２の下方縁部から下方に突出しており、ハウジング前半部１１の貫通孔１１３に係合することにより、ハウジング後半部１２はハウジング前半部１１に特定の方向で搭載される。摺動窪み部１２２はハウジング後半部１２の内面において長手方向に形成される。少なくとも１個の第１のピン搭載具１２３はハウジング後半部１２の内面に長手方向に形成され摺動窪み部１２２の傍らに設置される。少なくとも１個の第１のピン搭載具１２３の各々は、少なくとも１個の第１のピン搭載具１２３に各別に形成され少なくとも１個の第１のピン搭載具１２３に沿って長手方向に配置された多数の第１のピン窪み部１２４を有する。
【００１１】
ラッチ組立体２０はハウジング前半部１１のラッチ孔１１２を通過して搭載され、スリーブ２１と、保持リング２４と、駆動軸２２と、係止具２３とを有する。スリーブ２１はハウジング前半部１１のラッチ孔１１２を通過して搭載され、前方部分と後方部分とを有する。スリーブ２１の前方部分はハウジング前半部１１の内周面に係合する。スリーブ２１の後方部分はハウジング前半部１１の後面に向かい後面から突出する。保持リング２４はスリーブ２１の周囲に確実に搭載され、ハウジング前半部１１の内周面に当接して、スリーブ２１をハウジング前半部１１に確実に保持する。駆動軸２２はハウジング前半部１１のラッチ孔１１２とスリーブ２１とを通過して回転可能に搭載され、前方部分と、後方部分と、少なくとも１個の係止窪み部２２１とを有する。駆動軸２２の前方部分はハウジング前半部１１の前面に向かい前面から突出する。少なくとも１個の係止窪み部２２１は駆動軸２２の周面に形成され、ハウジング前半部１１の貫通孔１１３に合致する。係止具２３はスリーブ２１の後方部分に配設され、駆動軸２２の後方部分に取り付けられる。このようにして、駆動軸２２が回転すると、係止具２３はこれに応じて駆動されドアパネルを施錠あるいは開錠する。
【００１２】
コア組立体３０はハウジング前半部１１のコア窪み部１１１に摺動可能に搭載され、第１のコア３１と、第２のコア３２と、係止突出部３２３とを有する。
【００１３】
第１のコア３１はハウジング後半部１２に隣接して摺動可能に搭載され、中央ピン搭載具３１１と、少なくとも１個の第２のピン搭載具３１４とを有する。中央ピン搭載具３１１は摺動窪み部１２２に搭載され、ハウジング後半部１２の少なくとも１個の第１のピン搭載具１２３に対応し、鍵窪み部３１２と多数の第１のピン孔３１３とを有する。鍵窪み部３１２は中央ピン搭載具３１１の前面に長手方向に形成される。第１のピン孔３１３は中央ピン搭載具３１１を通過して形成され、それぞれ少なくとも一個の第１のピン搭載具１２３の第１のピン窪み部１２４と整列する。少なくとも１個の第２のピン搭載具３１４は中央ピン搭載具３１１の前面に長手方向に形成され、鍵窪み部３１２の傍らに配設される。少なくとも１個の第２のピン搭載具３１４の各々は少なくとも１個の第２のピン搭載具３１４に各別に形成され少なくとも１個の第２のピン搭載具３１４に沿って長手方向に配置された多数の第２のピン窪み部３１５を有する。
【００１４】
第２のコア３２はハウジング前半部１１に隣接して摺動可能に搭載され、第１のコア３１の少なくとも１個の第２のピン搭載具３１４に対応し、鍵孔３２１と、内面と、多数の第２のピン孔３２２とを有する。第２のコア３２の鍵孔３２１は第２のコア３２を通過して長手方向に形成され、第１のコア３１の中央ピン搭載具３１１の鍵窪み部３１２およびハウジング前半部１１の鍵孔１１４に整列する。第２のコア３２の内面は第２のコア３２の鍵孔３２１を囲んで画成される。第２のピン孔３２２は第２のコア３２の内面を通過して形成され、少なくとも１個の第２のピン搭載具３１４の第２のピン窪み部３１５にそれぞれ整列する。
【００１５】
係止突出部３２３はコア組立体３０の第２のコア３２の下方縁部から下方に突出し、ハウジング前半部１１の貫通孔１１３を通過して搭載され、ラッチ組立体２０の駆動軸２２に当接し、駆動軸２２の少なくとも１個の係止窪み部２２１に選択的に係合することにより駆動軸２２は保持され回転不可能となる。
【００１６】
主弾性素子３３は第２のコア３２の上方縁部とハウジング前半部１１との間に搭載され、２個の端部を有する。この２個の端部はそれぞれ第２のコア３２とハウジング前半部１１に当接して第２のコア３２を押圧し、これにより第２のコア３２は駆動軸２２に堅固に当接する。
【００１７】
さらに図４を参照して、第１のピン組立体４０はそれぞれハウジング後半部１２の第１のピン窪み部１２４とコア組立体３０の第１のコア３１の第１のピン孔３１３とに搭載される。第１のピン組立体４０の各々は、第１の外側ピン４１と、第１の内側ピン４２と、第１の弾性要素４３とを有する。第１の外側ピン４１はコア組立体３０の第１のコア３１の第１のピン孔３１３に搭載される。第１の内側ピン４２はハウジング後半部１２の第１のピン窪み部１２４に搭載される。第１の弾性要素４３はハウジング後半部１２の第１のピン窪み部１２４に搭載され、２個の端部を有する。この２個の端部はそれぞれ少なくとも１個の第１のピン搭載具１２３と第１の内側ピン４２とに当接し、第１の内側ピン４２と第１の外側ピン４１とを押圧し、これにより第１の内側ピン４２の一部分はさらに第１のコア３１の第１のピン孔３１３内に突出する。
【００１８】
さらに図６を参照して、第２のピン組立体５０はそれぞれ第１のコア３１の第２のピン窪み部３１５と第２のコア３２の第２のピン孔３２２とに搭載される。第２のピン組立体５０の各々は、第２の外側ピン５１と、第２の内側ピン５２と、第２の弾性要素５３とを有する。第２の外側ピン５１は第２のコア３２の第２のピン孔３２２に搭載される。第２の内側ピン５２は第１のコア３１の第２のピン窪み部３１５に搭載される。第２の弾性要素５３は第１のコア３１の第２のピン窪み部３１５に搭載されハウジング後半部１２の第１のピン窪み部１２４に搭載され、２個の端部を有する。この２個の端部はそれぞれ少なくとも１個の第２のピン搭載具３１４と第２の内側ピン５２とに当接し、第２の内側ピン５２と第２の外側ピン５１とを押圧し、これにより第２の内側ピン５２の一部分はさらに第２のコア３２の第２のピン孔３２２内に突出する。
【００１９】
この薄型錠の第１の実施例の好適な実施において、ハウジング後半部１２は２個の第１のピン搭載具１２３を有し、第１のコア３１は２個の第２のピン搭載具３１４を有する。第１のピン搭載具１２３の各々は他方の第１のピン搭載具１２３の側面に対応する側面を有する。第１のピン搭載具１２３の各々の第１のピン窪み部１２４は第１のピン搭載具１２３の側面に形成される。第１のコア３１の中央ピン搭載具３１１は第１のピン搭載具１２３の間に形成される。第２のピン搭載具３１４はそれぞれ第１のコア３１の鍵窪み部３１２の２個の相対する側面の傍らに形成される。第２のピン搭載具３１４の各々は他方の第２のピン搭載具３１４の側面に対応する側面を有する。第２のピン搭載具３１４の各々の第２のピン窪み部３１５は第２のピン搭載具３１４の側面に形成される。第２のコア３２は第２のピン搭載具３１４の間に搭載される。
【００２０】
さらに図８を参照して、上述の薄型錠に対する第１の鍵６０はロックパネル６１を有する。ロックパネル６１は、２個の相対する側面と、このロックパネル６１の側面に形成される多数の第１の歯６２とを有する。第１の鍵６０のロックパネル６１が鍵孔１１４とハウジング前半部１１と第２のコア３２の鍵孔３２１と第１のコア３１の鍵窪み部３１２とに挿入されると、第１の鍵６０の第１の歯６２は、それぞれ第１のコア３１の第１のピン孔３１３と第１のピン孔３１３に搭載される第１のピン組立体４０とに対応する。
【００２１】
このようにして、さらに図５を参照して、第１の鍵６０の第１の歯６２に画成された底部はそれぞれ第１の外側ピン４１と第１の内側ピン４２とを押圧し、第１の外側ピン４１と第１の内側ピン４２との接触面はハウジング後半部１２の少なくとも１個の第１のピン搭載具１２３と第１のコア３１の中央ピン搭載具３１１との対応する少なくとも１個の接触面と同一平面上になる。これにより第１のコア３１はハウジング１０に対して摺動可能になり、ラッチ組立体２０の駆動軸２２は回転可能になるり、薄型錠は施錠される。さらに、第１の鍵６０のいずれの歯も第２のコア３２の鍵孔３２１に対応しないので、第１のコア３１と第２のコア３２との相対位置は第２のピン組立体５０により依然として保持される。ラッチ組立体２０の駆動軸２２が回転すると、第１のコア３１と第２のコア３２は同時にハウジング１０に対して摺動する。
【００２２】
さらに図９を参照して、上述の薄型錠に対する第２の鍵６０Aはロックパネル６１Aを有する。ロックパネル６１Aは、２個の相対する側面と、このロックパネル６１Aの側面に形成される多数の第２の歯６２Aとを有する。第２の鍵６０Aのロックパネル６１Aが鍵孔１１４とハウジング前半部１１と第２のコア３２の鍵孔３２１と第１のコア３１の鍵窪み部３１２とに挿入されると、第２の鍵６０Aの第２の歯６２Aは、それぞれ第２のコア３２の第２のピン孔３２２と第２のピン孔３２２に搭載される第２のピン組立体５０とに対応する。
【００２３】
このようにして、さらに図７を参照して、第２の鍵６０Aの第２の歯６２Aに画成された底部はそれぞれ第２の外側ピン５１と第２の内側ピン５２とを押圧し、第２の外側ピン５１と第２の内側ピン５２との接触面は第１のコア３１の少なくとも１個の第２のピン搭載具３１４と第２のコア３２との対応する少なくとも１個の接触面と同一平面上になる。これにより、第２のコア３２は第１のコア３１に対して摺動可能になり、ラッチ組立体２０の駆動軸２２は回転可能になり、薄型錠は施錠される。さらに、第２の鍵６０Aのいずれの歯も第１のコア３１の鍵窪み部３１２に対応しないので、第１のコア３１とハウジング後半部１２との相対位置は第１のピン組立体４０により依然として保持される。ラッチ組立体２０の駆動軸２２が回転すると、第２のコア３２は第１のコア３１とハウジング１０に対して摺動する。
【００２４】
さらに図１０乃至図１２を参照して、第２の実施例における薄型錠は、ハウジング１０Aと、ラッチ組立体２０Aと、コア組立体３０Aと、主弾性素子３３Aと、第２のピン組立体５０Aとを具える。
【００２５】
第１の実施例と比較すると、ハウジング後半部１２Aは第１の実施例で記載した少なくとも１個の第１のピン搭載具は有しないし、コア組立体３０Aの第１のコア３１Aの第１のピン搭載具３１１Aは第１の実施例で記載した第１のピン孔３１３を有しない。またコア組立体３０Aの係止突出部３２３Aは第１のコア３１Aの下方縁部から下方に突出し、コア組立体３０Aの第２のコア３２Aは第１のコア３１Aの少なくとも１個の第２のピン搭載具３１４Aに対応し且つハウジング１０Aに確実に取り付けられ、主弾性素子３３Aは第１のコア３１Aの上方縁部とハウジングAとの間に搭載され、それぞれ第１のコア３１Aとハウジング１０Aに当接する２個の端部を有する。第２の鍵６０Aは第２の実施例の薄型錠の開錠に適する。第２の鍵６０Aが第２の実施例の薄型状に挿入され、ラッチ組立体の駆動軸２２Aが回転すると、第１のコア３１Aが摺動して第２の実施例の薄型錠は開錠する。さらに第２の実施例の好適な実施において、第１のコア３１Aは２個の第２のピン搭載具３１４Aを有する。
【００２６】
さらに図１３と図１４を参照して、第３の実施例においてはさらに、コア組立体３０Bの第２のコア３２Bの鍵孔３２１Bが第２のコア３２Aの上方縁部を通過して形成され、ハウジング１０Bのハウジング前半部１１Bの鍵孔１１４Bがハウジング前半部１１Bの上方縁部を通過し、第２のコア３２Bの鍵孔に整列して形成される。このように形成された第３の実施例の薄型錠に係る鍵６０Bは、ハウジング１０Bの上方縁部から薄型錠に挿入される。
【００２７】
上述した薄型錠は以下の効果を有する。すなわち、第１および第２のピン組立体４０、５０はハウジング１０、１０A、１０Bにおいて長手方向に配置されるので薄型錠がドアパネルに搭載される際、第１および第２のピン組立体４０、５０の数はドアパネルの厚さに無関係になる。したがって、ユーザの必要に応じて薄型錠の複雑性を増加して安全性を向上させるために第１および第２のピン組立体４０、５０の数量を追加することができる。
【図１】
2012047017.tif 000003
【図２】
2012047017.tif 000004
【図３】
2012047017.tif 000005
【図４】
2012047017.tif 000006
【図５】
2012047017.tif 000007
【図６】
2012047017.tif 000008
【図７】
2012047017.tif 000009
【図８】
2012047017.tif 000010
【図９】
2012047017.tif 000011
【図１０】
2012047017.tif 000012
【図１１】
2012047017.tif 000013
【図１２】
2012047017.tif 000014
【図１３】
2012047017.tif 000015
【図１４】
2012047017.tif 000016